(57)【要約】【課題】可動式の発光装置を保持する機構を水密構造内から制御する。【解決手段】撮像装置は、水密構造を有するものであって、撮像装置の本体に収納された収納位置と収納位置から突出した突出位置との間を移動可能であって、突出位置において被写体を照明する発光部と、発光部を収納位置に係止する係止部と、係止部による発光部の係止を解除する係止解除部と、を備え、係止部は、水密構造の外側に設けられ、係止解除部は、水密構造の内側に設けられた電磁石を有し、電磁石が係止部を吸引することにより係止を解除することを特徴とする。【選択図】図２
2015040936.tif 000002
【特許請求の範囲】
【請求項１】
水密構造を有する撮像装置であって、
前記撮像装置の本体に収納された収納位置と前記収納位置から突出した突出位置との間を移動可能であって、前記突出位置において被写体を照明する発光部と、
前記発光部を前記収納位置に係止する係止部と、
前記係止部による前記発光部の係止を解除する係止解除部と、
を備え、
前記係止部は、前記水密構造の外側に設けられ、
前記係止解除部は、前記水密構造の内側に設けられた電磁石を有し、前記電磁石が前記係止部を吸引することにより前記係止を解除することを特徴とする撮像装置。
【請求項２】
請求項１に記載の撮像装置において、
前記係止部を前記発光部に向けて付勢する係止用付勢部をさらに備え、
前記係止部は、前記電磁石が前記係止部を吸引していないとき、前記係止用付勢部の付勢力により前記発光部を係止することを特徴とする撮像装置。
【請求項３】
請求項１に記載の撮像装置において、
前記電磁石へ流す電流の向きを制御する電流制御部をさらに備え、
前記係止部は、磁石を有し、
前記電流制御部が前記電磁石へ第１の方向に電流を流したとき、前記電磁石は前記磁石と共に前記係止部を吸引し、
前記電流制御部が前記電磁石へ第１の方向とは反対の第２の方向に電流を流したとき、前記電磁石は前記磁石と共に前記係止部を押し出すことを特徴とする撮像装置。
【請求項４】
請求項３に記載の撮像装置において、
前記発光部は、前記突出位置として、前記収納位置からの突出量が異なる複数の突出位置を有し、
前記係止部は、前記発光部を前記複数の突出位置でさらに前記発光部を係止可能であり、
前記収納位置における前記発光部の係止を解除して前記複数の突出位置の各々で前記発光部を係止する場合に、前記係止解除部が前記収納位置から当該突出位置までの距離に応じた距離だけ前記係止部を吸引することを特徴とする撮像装置。
【請求項５】
撮像装置の本体に収納された収納位置と前記収納位置から突出した突出位置との間を移動可能であって、前記突出位置において被写体を照明する発光部と、
前記発光部を前記収納位置に係止する係止部と、
電磁石を有し、前記係止部を駆動する駆動部と、
前記電磁石に流す電流に関するスイッチング制御を行う電流制御部とを備え、
前記発光部の係止を解除する際、前記電磁石が前記係止部を吸引するように前記電流制御部が前記電流を制御することによることを特徴とする撮像装置。
【請求項６】
請求項５に記載の撮像装置において、
前記係止部を前記発光部に向けて付勢する係止用付勢部をさらに備え、
前記係止部は、前記電磁石が前記係止部を吸引していないとき、前記係止用付勢部の付勢力により前記発光部を係止することを特徴とする撮像装置。
【請求項７】
請求項５に記載の撮像装置において、
前記係止部は、磁石を有し、
前記電流制御部が前記電磁石へ第１の方向に電流を流したとき、前記電磁石は前記磁石と共に前記係止部を吸引し、
前記電流制御部が前記電磁石へ第１の方向とは反対の第２の方向に電流を流したとき、前記電磁石は前記磁石と共に前記係止部を押し出すことを特徴とする撮像装置。
【請求項８】
請求項７に記載の撮像装置において、
前記発光部は、前記突出位置として、前記収納位置からの突出量が異なる複数の突出位置を有し、
前記係止部は、前記発光部を前記複数の突出位置でさらに前記発光部を係止可能であり、
前記収納位置における前記発光部の係止を解除して前記複数の突出位置の各々で前記発光部を係止する場合に、前記駆動部が前記収納位置から当該突出位置までの距離に応じた距離だけ前記係止部を駆動することを特徴とする撮像装置。
【請求項９】
請求項５から８のいずれか一項に記載の撮像装置において、
前記撮像装置は、水密構造を有し、
前記係止部は、前記水密構造の外側に設けられ、
前記駆動部は、前記水密構造の内側に設けられることを特徴とする撮像装置。
【請求項１０】
撮像装置の本体に収納された収納位置から突出して被写体を照明する発光部と、
前記発光部が先端部に固着し、前記発光部の突出方向の反対方向に前記先端部から複数の磁石が並置されている支持軸と、
入力電流に応じた磁場を生成する電磁石を有し、前記磁場により前記支持軸を駆動する駆動部と、
前記電磁石に流す電流に関するスイッチング制御を行う電流制御部とを備えることを特徴とする撮像装置。
【発明の詳細な説明】
【技術分野】
【０００１】
本発明は撮像装置に関する。
【背景技術】
【０００２】
収納位置から突出位置に突出するように付勢された可動式のストロボ装置の係止部材に係合してストロボ装置を収納位置に保持する係合爪と、係合爪と係止部材との係合を解除する方向に係合爪を押すソレノイド等のアクチュエータとを備える撮像装置が知られている（特許文献１）。
【先行技術文献】
【特許文献】
【０００３】
【特許文献１】特開平１０−３９３７４号公報
【発明の概要】
【発明が解決しようとする課題】
【０００４】
従来の撮像装置では、防水構造は考慮されていないし、たとえば可動式の発光装置を備える防水カメラ構造とした場合、発光装置を収納位置に保持する係合爪を電動駆動する場合、アクチュエータに水が到達しないようにするため、係合爪とカメラ本体との隙間等に止水構造（たとえば、Ｏリング）を設ける必要がある。しかし、摩耗等による止水構造の損傷や、止水構造との摩擦による係合爪の動作不良などが発生するおそれがある。本発明の目的は、可動式の発光装置を保持する機構を水密構造内から制御することにある。
【課題を解決するための手段】
【０００５】
本発明の一態様による撮像装置は、水密構造を有する撮像装置であって、撮像装置の本体に収納された収納位置と収納位置から突出した突出位置との間を移動可能であって、突出位置において被写体を照明する発光部と、発光部を収納位置に係止する係止部と、係止部による発光部の係止を解除する係止解除部と、を備え、係止部は、水密構造の外側に設けられ、係止解除部は、水密構造の内側に設けられた電磁石を有し、電磁石が係止部を吸引することにより係止を解除することを特徴とする。
また、本発明の別の一態様による撮像装置は、撮像装置の本体に収納された収納位置と収納位置から突出した突出位置との間を移動可能であって、突出位置において被写体を照明する発光部と、発光部を収納位置に係止する係止部と、電磁石を有し、係止部を駆動する駆動部と、電磁石に流す電流に関するスイッチング制御を行う電流制御部とを備え、発光部の係止を解除する際、電磁石が係止部を吸引するように電流制御部が電流を制御することによることを特徴とする。
また、本発明のさらに別の一態様による撮像装置は、撮像装置の本体に収納された収納位置から突出して被写体を照明する発光部と、発光部が先端部に固着し、発光部の突出方向の反対方向に先端部から複数の磁石が並置されている支持軸と、入力電流に応じた磁場を生成する電磁石を有し、磁場により支持軸を駆動する駆動部と、電磁石に流す電流に関するスイッチング制御を行う電流制御部とを備えることを特徴とする。
【発明の効果】
【０００６】
本発明によれば、可動式の発光装置を保持する機構を水密構造内から制御することができる。
【図面の簡単な説明】
【０００７】
【図１】本発明の第１の実施の形態による撮像装置の一構成例を示す図である。
【図２】本発明の第１の実施の形態による撮像装置に備わるロック機構の概略断面図である。
【図３】本発明の第２の実施の形態による撮像装置に備わるロック機構の概略断面図である。
【図４】本発明の第３の実施の形態による撮像装置に備わるロック機構の概略断面図である。
【図５】本発明の第３の実施の形態による撮像装置に備わるロック機構の概略断面図である。
【図６】本発明の第３の実施の形態による撮像装置に備わるロック機構の概略断面図である。
【図７】本発明の第４の実施の形態による撮像装置に備わるロック機構の概略断面図である。
【発明を実施するための形態】
【０００８】
（第１の実施の形態）
図１は、本発明の第１の実施の形態による撮像装置の一構成例を示す図である。図１に例示する撮像装置は、防水性を有するレンズ交換式のデジタルカメラ１であって、交換レンズ１０とカメラボディ２０とを備える。交換レンズ１０は、防水性を有し、カメラボディ２０に交換可能に装着される。図１は、交換レンズ１０がカメラボディ２０に装着された状態を示している。
【０００９】
カメラボディ２０は、発光装置２１と、ロック機構２２と、ロック解除スイッチ２３と、レリーズスイッチ２４とを備える。カメラボディ２０は、本体上面に開口を有する凹形状の収納部２５を有する。収納部２５には、図示のように、発光装置２１を収納することができる。カメラボディ２０は内部に水密構造を有し、収納部２５はその水密構造の外側に設けられている。
【００１０】
発光装置２１は、ストロボ、フラッシュなどで構成される。発光装置２１は、ばね等により上方向に付勢されており、収納部２５に収納された状態（収納位置）と、収納部２５から上方向に突出した状態（突出位置）との間を移動可能である。
【００１１】
ロック機構２２は、収納部２５に収納された発光装置２１、すなわち収納位置にある発光装置２１を係止する。ロック解除スイッチ２３は、発光装置２１の係止を解除するための操作部材である。ロック解除スイッチ２３が操作されると、カメラボディ２０の制御を行う制御部（後述）にロック解除信号が出力される。ロック機構２２は、ロック解除信号に伴って発光装置２１の係止を解除する。係止を解除された発光装置２１は、付勢力によって上方向に跳ね上がる。収納位置から跳ね上がった発光装置２１は、撮影時に発光して被写体を照明する。
【００１２】
図２（ａ）および（ｂ）は、本発明の第１の実施の形態による撮像装置に備わるロック機構２２の概略断面図である。図２（ａ）は、ロック機構２２により発光装置２１が収納位置で係止された状態が示されている。図２（ｂ）には、発光装置２１の係止が解除され、発光装置２１が収納部２５から突出した状態が示されている。
【００１３】
発光装置２１は、その底面に支持軸６１の先端が固着しており、その支持軸６１により支持されている。支持軸６１は、不図示のばね等により上方向に付勢されている。収納部２５の底面には支持軸６１が貫通する支持軸用穴が設けられおり、支持軸用穴にはＯリング等を用いた止水構造５２が設けられている。
【００１４】
ロック機構２２は、カメラボディ２０の水密構造の外部に係止爪３１と、係止爪３１を付勢する圧縮ばね３２とを有し、カメラボディ２０の水密構造の内部に電磁石３３と電流制御部３４とを有する。
【００１５】
係止爪３１は、爪部４１と鍔部４２と軸部４３とを有する。爪部４１は、収納部２５の側壁５１に設けられた爪用穴を貫通して、収納部２５に突出し、発光装置２１の側面に設けられた係止溝６２に係合している。爪部４１は、先端に傾斜部４１ａを有する。
【００１６】
鍔部４２は、爪部４１と軸部４３との間に存在している。鍔部４２は、圧縮ばね３２に当接しており、圧縮ばね３２の付勢力を係止爪３１に伝える。また、鍔部４２は、収納部２５の側壁５１に設けられた爪用穴よりも大きく、爪部４１が所定量以上突出しないように側壁５１に掛る。
【００１７】
軸部４３は、その外周に圧縮ばね３２が設けられており、その内部に棒状の永久磁石４４を有する。永久磁石４４には、異方性フェライト磁石やナイロンコーティングされたネオジム磁石など、錆びにくい磁石が用いられる。永久磁石４４は、圧縮ばね３２の付勢方向にＳ極とＮ極とが並んでおり、発光装置２１側にＳ極が向いている。
【００１８】
電磁石３３は、棒状であって、一方の磁極面が永久磁石４４のＮ極の磁極面に対面する位置に固定されている。電磁石３３と軸部４３との間には、磁気を通す材料で形成されたカメラボディ２０のケースが存在しており、水密構造の内側を外側から分離している。
【００１９】
電流制御部３４は、制御部７１からの指令に基づいて、電磁石３３に流す電流に対してスイッチング制御を行う。図２（ａ）では、電流制御部３４から電磁石３３に電流が供給されておらず、電磁石３３は磁力を失った状態にある。電流制御部３４から電流が供給されると、図２（ｂ）に示すように、電磁石３３は、永久磁石４４側にＳ極を形成する。
【００２０】
制御部７１は、ＣＰＵ、ＲＡＭ、ＲＯＭなどで構成され、電流制御部３４を含むカメラボディ２０の各部の制御を行う。たとえば、ユーザがロック解除スイッチ２３を操作したとき、制御部７１は、電磁石３３へ電流を流すための指令を電流制御部３４に送信する。制御部７１は、カメラボディ２０の水密構造内に設けられる。
【００２１】
図１ならびに図２（ａ）および（ｂ）を用いて、発光装置２１の係止解除に関する動作について説明する。発光装置２１が収納部２５に収納されているとき、図２（ａ）に示されているように、ロック機構２２の係止爪３１の爪部４１が発光装置２１の係止溝６２に係合している。ユーザがロック解除スイッチ２３（図１）を操作すると、ロック解除信号が制御部７１に出力され、電流制御部３４に電流供給開始の指令が出力され、電流制御部３４が電磁石３３への電流供給を開始する。電流が供給された電磁石３３は、永久磁石４４を有する係止爪３１を圧縮ばね３２の付勢力に抗して吸引する。係止爪３１が電磁石３３により吸引されると、爪部４１が発光装置２１の係止溝６２から離れて、発光装置２１の係止が解除される。係止爪３１による係止が解除された発光装置２１は、図２（ｂ）に示すように、不図示のばね等の付勢力により上方向に跳ね上がる。その後、制御部７１は、電流制御部３４に電流供給中止の指令が出力され、電流制御部３４が電磁石３３への電流供給を中止する。電磁石３３への電流供給が無くなることにより電磁石３３の磁力が失われ、永久磁石４４を吸引し圧縮ばね３２の付勢力に抗する力が失われる。鍔部４２により圧縮されていた圧縮ばね３２が復元する力により、鍔部４２が側壁５１に押し付けられ、爪部４１が側壁５１の爪用穴から突出する。
【００２２】
発光装置２１を再び係止するときは、ユーザが発光装置２１を収納部２５に押し込む。下降する発光装置２１の底面が爪部４１の傾斜部４１ａに接触すると、傾斜部４１ａに沿って係止爪３１が押し込まれ、係止爪３１の先端が発光装置２１の側面に当接する。発光装置２１が収納位置まで下降すると、係止溝６２が係止爪３１と係合可能な高さに達する。係止爪３１は、爪部４１が係止溝６２の内側に入り込むように、圧縮ばね３２の付勢力により押し込まれる。その結果、係止爪３１が発光装置２１の係止溝６２と係合する。
【００２３】
以上で説明した第１の実施の形態によれば、以下の作用効果が得られる。
第１の実施の形態によるデジタルカメラ１は、カメラボディ２０に水密構造を有する撮像装置であって、発光装置２１を係止する係止爪３１が水密構造の外側に設けられ、電磁石３３が水密構造の内側に設けられている。このような構成を有するため、デジタルカメラ１は、発光装置２１に係止して発光装置２１を収納位置に保持する係止爪３１を電磁石３３の磁気を用いて水密構造内から制御することができる。
【００２４】
（第２の実施の形態）
図３（ａ）および（ｂ）は、本発明の第２の実施の形態による撮像装置に備わるロック機構２２の概略断面図である。図３（ａ）には、ロック機構２２により発光装置２１が収納位置で係止された状態が示されている。図３（ｂ）には、発光装置２１の係止が解除され、発光装置２１が収納部２５から突出した状態が示されている。
【００２５】
第２の実施の形態におけるロック機構２２は、圧縮ばね３２を備えない。
また、第１の実施の形態では、その一方の磁極面が係止爪３１の永久磁石４４のＮ極の磁極面に対面する位置に電磁石３３が設けられていたが、第２の実施の形態では、電磁石３３の側面と永久磁石４４の側面とが対面するような位置に電磁石３３が設けられる。
【００２６】
また、第２の実施の形態では、電流制御部３４は、係止爪３１を用いて発光装置２１を係止する場合、図３（ａ）に示すように電磁石３３の発光装置２１側の磁極がＳ極となるように電磁石３３へ供給する電流の向きを制御する。また、発光装置２１の係止を解除する場合、図３（ｂ）に示すように電磁石３３の発光装置２１側の磁極がＮ極となるように電磁石３３へ供給する電流の向きを制御する。
【００２７】
図３（ａ）および（ｂ）を用いて、発光装置２１の係止解除に関する動作について説明する。発光装置２１が収納部２５に収納されているとき、永久磁石４４のＮ極が電磁石３３のＮ極に押し出され、電磁石３３のＳ極に吸引されることにより、図３（ａ）に示されているように、ロック機構２２の係止爪３１の爪部４１が発光装置２１の係止溝６２に挿入される。
【００２８】
ユーザがロック解除スイッチ２３（図１）を操作すると、ロック解除信号が制御部７１に出力され、電流制御部３４に電流の向きを切り替える指令が出力される。電流制御部３４は、制御部７１からの指令に応じて電磁石３３へ供給される電流の向きを切り替える。電磁石３３は、供給電流の向きの切り替えに応じて磁極が反転する。
【００２９】
図３（ｂ）に示すように、係止爪３１の永久磁石４４のＮ極は反転後の電磁石３３のＳ極に吸引され、永久磁石４４のＳ極は反転後の電磁石３３のＮ極に吸引される。係止爪３１の永久磁石４４が電磁石３３により吸引されると、爪部４１が発光装置２１の係止溝６２から抜かれて、発光装置２１の係止が解除される。係止爪３１による係止が解除された発光装置２１は、不図示のばね等の付勢力により上方向に跳ね上がる。
【００３０】
所定時間経過後、制御部７１から電流制御部３４へ電流の向きを切り替える指令が再び出力される。電流制御部３４は、制御部７１からの指令に応じて電磁石３３へ供給される電流の向きを切り替える。電磁石３３は、供給電流の向きの切り替えに応じて磁極が反転する。係止爪３１の永久磁石４４のＮ極は反転後の電磁石３３のＳ極に吸引される。係止爪３１の永久磁石４４が電磁石３３により吸引されると、爪部４１が側壁５１の爪用穴から突出した状態になる。
【００３１】
発光装置２１を再び係止するときは、ユーザが発光装置２１を収納部２５に押し込む。下降する発光装置２１の底面が爪部４１の傾斜部４１ａに接触し、電磁石３３と永久磁石４４とが互いに引きあう力に抗するようにユーザが発光装置２１を収納部２５に押し込むと、傾斜部４１ａに沿って係止爪３１が押し込まれ、係止爪３１の先端が発光装置２１の側面に当接する。発光装置２１が収納位置まで下降すると、係止溝６２が係止爪３１と係合可能な高さに達する。係止爪３１は、電磁石３３と永久磁石４４とが互いに引きあう力により爪部４１を係止溝６２に挿入する。その結果、係止爪３１が発光装置２１の係止溝６２と係合する。
【００３２】
以上で説明した第２の実施の形態によれば、以下の作用効果が得られる。
第２の実施の形態によるデジタルカメラ１は、第１の実施の形態と同様に、カメラボディ２０に水密構造を有する撮像装置であって、発光装置２１を係止する係止爪３１が水密構造の外側に設けられ、電磁石３３が水密構造の内側に設けられている。このような構成を有するため、デジタルカメラ１は、発光装置２１に係止して発光装置２１を収納位置に保持する係止爪３１を電磁石３３の磁気を用いて水密構造内から制御することができる。
また、第２の実施の形態によるデジタルカメラ１は、第１の実施の形態と比べて圧縮ばね３２を要しないため、部品数を低減することができ、製造コストを低減することができる。
【００３３】
（第３の実施の形態）
図４は、本発明の第３の実施の形態による撮像装置に備わるロック機構２２の概略断面図である。図４には、ロック機構２２により発光装置２１が収納位置で係止された状態が示されている。
【００３４】
第３の実施の形態は、発光装置２１が互いに高さが異なる複数の突出位置を有し、係止爪３１が側壁５１の爪用穴から突出する突出量を制御することにより複数の突出位置で発光装置２１を係止する。
【００３５】
第３の実施の形態では、発光装置２１の支持軸６１は、第１の突出位置に対応する第１係止用突起部６３と、第２の突出位置に対応する第２係止用突起部６４とが設けられている。第１の突出位置を図５に、第２の突出位置を図６に示す。第１係止用突起部６３の先端は、発光装置２１の側面よりも爪用穴を有する収納部２５の側壁の近くまで突出している。
【００３６】
また、第３の実施の形態では、水密構造内に複数の電磁石３３を固定し、係止爪３１の突出量の制御に用いる。図４では、二つの電磁石３３ａ，３３ｂの各側面が永久磁石４４の側面と対面し、二つの電磁石３３ａ，３３ｂが係止爪３１の突出方向に沿って並び、二つの電磁石３３ａ，３３ｂの一方の磁極面が発光装置２１側に向くような位置に二つの電磁石３３ａ，３３ｂが設けられている。
【００３７】
電流制御部３４は、二つの電磁石３３ａ，３３ｂに供給する電流のスイッチング制御を行う。図４では、発光装置２１に近い側の電磁石３３ａの磁極のうち発光装置２１に近い側の磁極がＳ極となるように供給電流を制御している。なお、発光装置２１から遠い側の電磁石３３ｂに対しては、誤って係止爪３１を吸引することがないように電流の供給を停止している。係止爪３１は、係止爪３１の永久磁石４４のＮ極と電磁石３３ａのＳ極とが吸引し合うと共に、鍔部４２が発光装置２１の側面に掛ることにより、爪部４１が発光装置２１の側面に設けられた係止溝６２と係合する位置で保持されている。
【００３８】
電流制御部３４によるスイッチング制御により係止爪３１が図５の位置まで吸引されると、係止爪３１と係止溝６２との係合が解除され、発光装置２１が不図示のばね等の付勢力により上方向に跳ね上がる。このとき、発光装置２１の支持軸６１の第１係止用突起部６３が係止爪３１と係合する。
【００３９】
図４の状態から図５の状態に遷移するまでの間に行われる電流制御部３４によるスイッチング制御の一例について説明する。制御部７１は、ロック解除スイッチ２３からのロック解除信号等に基づいて図５の状態に遷移することに決定すると、電磁石３３ａを制御する指令を電流制御部３４に送信する。指令を受けた電流制御部３４は、電磁石３３ａに対して発光装置２１に近い側の磁極がＮ極となるように供給電流の向きを反転させる。これにより、係止爪３１の永久磁石４４のＮ極が反転後の電磁石３３ａのＳ極に吸引されると共に永久磁石４４のＳ極が反転後の電磁石３３ａのＮ極に吸引される。その結果、係止爪３１と係止溝６２との係合が解除され、発光装置２１の支持軸６１の第１係止用突起部６３が係止爪３１の爪部４１と係合する。
【００４０】
電流制御部３４によるスイッチング制御により係止爪３１が図６の位置まで吸引されると、係止爪３１と第１係止用突起部６３との係合も解除され、発光装置２１が不図示のばね等の付勢力によりさらに上方向に跳ね上がる。このとき、発光装置２１の支持軸６１の第２係止用突起部６４がカメラボディ２０の突起部８１に係止される。
【００４１】
図５の状態から図６の状態に遷移するまでの間に行われる電流制御部３４によるスイッチング制御の一例について説明する。制御部７１は、ロック解除スイッチ２３からのロック解除信号等に基づいて図６の状態に遷移することに決定すると、二つの電磁石３３ａ，３３ｂを制御する指令を電流制御部３４に送信する。指令を受けた電流制御部３４は、電磁石３３ｂに対して発光装置２１に近い側の磁極がＳ極となるように電流を供給すると共に電磁石３３ａに対する電流の供給を停止する。これにより、係止爪３１の永久磁石４４が電磁石３３ｂにより吸引され、係止爪３１と係止溝６２との係合が解除され、発光装置２１の支持軸６１の第１係止用突起部６３が係止爪３１の爪部４１と係合する。次に、電流制御部３４は、電磁石３３ａに対して発光装置２１に近い側の磁極がＳ極となるように電流を供給する。これにより、係止爪３１が図６に示す位置で保持される。すなわち、発光装置２１の支持軸６１の第２係止用突起部６４がカメラボディ２０の突起部８１に係止された状態で保持される。
【００４２】
以上で説明した第３の実施の形態によれば、以下の作用効果が得られる。
第３の実施の形態によるデジタルカメラ１は、第１および第２の実施の形態と同様に、カメラボディ２０に水密構造を有する撮像装置であって、発光装置２１を係止する係止爪３１が水密構造の外側に設けられ、電磁石３３が水密構造の内側に設けられている。このような構成を有するため、デジタルカメラ１は、発光装置２１に係止して発光装置２１を収納位置に保持する係止爪３１を電磁石３３の磁気を用いて水密構造内から制御することができる。
また、第３の実施の形態によるデジタルカメラ１は、第１の実施の形態と比べて圧縮ばね３２を要しないため、部品数を低減することができ、製造コストを低減することができる。
また、第３の実施の形態によるデジタルカメラ１は、第２の実施の形態と比べて電流制御部３４を用いて複数の電磁石３３ａおよび電磁石３３ｂに供給する電流に対するスイッチング制御を行うことにより、突出位置を複数有する発光装置２１の係止についても制御することができる。
交換レンズ１０が大きい場合、発光装置２１からの照明光が交換レンズ１０に遮られるケラレが発生することがある。また、デジタルカメラ１を水中で用いる場合、突出位置の発光装置２１が水流を受けて手振れが発生する場合がある。第３の実施の形態では、デジタルカメラ１は、発光装置２１を複数の突出位置で保持することができるため、種々のサイズの交換レンズ１０に適した発光を行うことができ、水中などの撮影環境にも適合させることができる。
【００４３】
（第４の実施の形態）
図７は、本発明の第４の実施の形態による撮像装置に備わるロック機構２２の概略断面図である。第４の実施の形態では、発光装置２１は、複数の永久磁石９１を有する支持軸９２により支持される。複数の永久磁石９１は、それらのＮ極の磁極面がそれぞれ発光装置２１に向くように、それらの両磁極が支持軸９２の軸方向に並置されている。
【００４４】
第４の実施の形態では、電磁石３３は、両磁極の位置関係が支持軸９２の軸方向と平行になるように、水密構造内の支持軸９２側面側の位置に固定される。支持軸９２は、この電磁石３３により駆動される。
【００４５】
発光装置２１が収納位置にあるとき、電流制御部３４は、電磁石３３の発光装置２１側の電極がＳ極となるように電磁石３３に電流を供給している。電磁石３３は、支持軸９２の上から１段目の永久磁石９１と互いに吸引し合い、発光装置２１を収納位置に支持する。
【００４６】
電流制御部３４は、制御部７１から駆動指令を受けると、電磁石３３の発光装置２１側の電極がＮ極となるように電磁石３３に電流を供給する。電磁石３３は、支持軸９２の上から２段目の永久磁石９１のＮ極を吸引して、支持軸９２を上方に駆動させる。支持軸９２を上方に駆動するのに十分な時間が経過した後、電流制御部３４は、電磁石３３の発光装置２１側の電極がＳ極となるように電磁石３３へ供給する電流の向きを切り替える。反転した電流の供給を受けた電磁石３３は、支持軸９２の上から２段目の永久磁石９１のＳ極を吸引して、支持軸９２をさらに上方に駆動させる。その後、電流制御部３４は、発光装置２１が所望の位置に駆動されるまでこの電流の向きの切り替えを繰り返す。
【００４７】
以上で説明した第４の実施の形態によれば、以下の作用効果が得られる。
第４の実施の形態によるデジタルカメラ１は、カメラボディ２０に水密構造を有する撮像装置であって、複数の永久磁石９１が並置され、発光装置２１を支持する支持軸９２を水密構造内に設けられた電磁石３３と電流制御部３４とを用いて駆動制御する。このような構成を有するため、デジタルカメラ１は、発光装置２１を支持する支持軸９２を電磁石３３の磁気を用いて水密構造内から制御することができる。
【００４８】
以上で説明した実施形態は、以下のように変形して実施できる。
（変形例１）  第１の実施の形態において、係止爪３１は、軸部４３に永久磁石４４を有するものとしたが、軸部４３を強磁性材料など磁石に吸引され易い材料で構成した場合は、永久磁石４４を軸部４３に設けなくてもよい。
【００４９】
（変形例２）  第３の実施の形態における複数の電磁石は、それらの磁極面を係止爪３１の軸部４３に向けるように配置して、係止爪３１の駆動用のリニアモータとして用いることにしてもよい。第４の実施の形態における電磁石も同様に、その磁局面を支持軸９２に向けるように配置して、支持軸９２の駆動用のリニアモータとして用いることにしてもよい。
【００５０】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００５１】
１  デジタルカメラ
２１  発光装置
２２  ロック機構
２３  ロック解除スイッチ
２４  レリーズスイッチ
２５  収納部
３１  係止爪
３３，３３ａ，３３ｂ  電磁石
３４  電流制御部
４４，９１  永久磁石
７１  制御部
８１  突起部
【図１】
2015040936.tif 000003
【図２】
2015040936.tif 000004
【図３】
2015040936.tif 000005
【図４】
2015040936.tif 000006
【図５】
2015040936.tif 000007
【図６】
2015040936.tif 000008
【図７】
2015040936.tif 000009